(57)【要約】【課題】把手をコンパクトに畳んで嵩張りを抑えることができる釣用バッグを提供する。【解決手段】釣用バッグ１は、対向する一対の外側壁２１、２２を有するバッグ本体２と、外側壁２１、２２に設けられた一対の把手３とを備える。把手３は、グリップ３３と、一端部３２Ａ及び他端部３２Ｂを有し、一端部３２Ａにグリップ３３が連結された柄部３２と、柄部３２の他端部３２Ｂに連結された基部３１とを備える。基部３１は、外側壁２１、２２に固定されたスライドベース４１、及びスライドベース４１に上下方向１０１にスライド自在に支持されることによって上位置と下位置との間で変位可能であり且つ柄部３２の他端部３２Ｂが仮想軸線５７を中心に回動自在に連結されたスライダ４２を有する。スライダ４２は、柄部３２及びグリップ３３がバッグ本体２の上面２５に倒伏するように柄部３２の他端部３２Ｂにヒンジ結合されている。【選択図】図１
2018000132.tif 000002
【特許請求の範囲】
【請求項１】
対向する一対の外側壁を有するバッグ本体と、当該外側壁に設けられた一対の把手とを備え、
当該把手は、
グリップと、
一端部及び他端部を有し、一端部に上記グリップが連結された柄部と、
当該柄部の他端部に連結された基部とを備え、
当該基部は、
上記外側壁に固定されたスライドベース及び
当該スライドベースに上下方向にスライド自在に支持されることによって上位置と下位置との間で変位可能であり且つ上記柄部の他端部が上記上下方向に直交すると共に上記外側壁に沿う仮想軸線を中心に回動自在に連結されたスライダを有し、
当該スライダは、上記柄部及び上記グリップが上記バッグ本体の上面に倒伏するように上記柄部の他端部にヒンジ結合されている釣用バッグ。
【請求項２】
上記スライダは、上記上下方向に直交すると共に上記外側壁に沿う方向へ突出した一対の第１突部と、上記外側壁の外方へ突出した第２突部と、を備え、
上記スライドベースは、上記上下方向に延びており上記一対の第１突部が挿入される一対の第１開口と、上記上下方向に延びており上記第２突部が挿入される第２開口と、を備える請求項１に記載の釣用バッグ。
【請求項３】
上記柄部の他端部は、上記スライダが進入可能に肉抜きされている請求項１または２に記載の釣用バッグ。
【発明の詳細な説明】
【技術分野】
【０００１】
この発明は、レジャー、特に釣りに携行される釣用バッグに関するものである。
【背景技術】
【０００２】
たとえば釣人は、釣場に各種道具や餌等の様々な荷物を持ち込む必要がある。このような荷物を収納するバッグとして、従来から釣用バッグが提供されている（たとえば特許文献１及び特許文献２参照）。
【０００３】
図８及び図９は、それぞれ、従来の釣用バッグの斜視図及び側面図である。図８が示すように、従来の釣用バッグ９０は、バッグ本体９１及び一対の把手９２を備える。バッグ本体９１は、直方体をなし、内部に収容室が区画された容器である。一対の把手９２は、バッグ本体９１の側面に取り付けられている。バッグ本体９１に蓋９３が設けられており、この蓋９３は、ファスナ９４により開閉可能となっている。蓋９３が開放されることにより、バッグ本体９１内に釣道具や餌等が収納されるようになっている。
【０００４】
把手９２の基端部９６は、取付用ステー９５を介してバッグ本体９１の側面に回動可能に支持されている。したがって、図９が示すように、上記基端部９６が回動することによって、把手９２の姿勢が変化する。すなわち、釣人が釣用バッグ９０を持ち運びする際には、把手９２が上方に向いた姿勢となり、釣場に載置される場合には、把手９２が倒伏した姿勢となる。
【先行技術文献】
【特許文献】
【０００５】
【特許文献１】特開２００３−２０４７４４号公報
【特許文献２】特開２００６−２１１９６０号公報
【発明の概要】
【発明が解決しようとする課題】
【０００６】
ところで、釣人が釣用バッグ９０を携帯する際、たとえば他の容器に釣用バッグ９０を収容する場合には、図９が示すように、一対の把手９２は起立した状態とされる。なぜなら、把手９２が倒伏した姿勢では、釣用バッグ９０が非常に嵩張るからである。
【０００７】
しかし、把手９２が起立した状態であっても釣用バッグ９０の嵩張りは大きく、実釣において釣人は、タックルケース等の容器に釣用バッグ９０その他の釣道具を効率的にコンパクトに収容することが困難であった。
【０００８】
本発明はかかる背景のもとになされたものであって、その目的は、把手をコンパクトに畳んで嵩張りを抑えることができる釣用バッグを提供することである。
【課題を解決するための手段】
【０００９】
(1) 本発明に係る釣用バッグは、対向する一対の外側壁を有するバッグ本体と、当該外側壁に設けられた一対の把手とを備える。当該把手は、グリップと、一端部及び他端部を有し、一端部に上記グリップが連結された柄部と、当該柄部の他端部に連結された基部とを備える。当該基部は、上記外側壁に固定されたスライドベース及び当該スライドベースに上下方向にスライド自在に支持されることによって上位置と下位置との間で変位可能であり且つ上記柄部の他端部が上記上下方向に直交すると共に上記外側壁に沿う仮想軸線を中心に回動自在に連結されたスライダを有する。当該スライダは、上記柄部及び上記グリップが上記バッグ本体の上面に倒伏するように上記柄部の他端部にヒンジ結合されている。
【００１０】
この構成によれば、バッグ本体に一対の把手が設けられており、各把手はグリップを備えているから、釣人は、グリップを把持することにより釣用バッグを吊り下げて持つことができる。この把手は柄部を備え、この柄部の他端部が基部に連結されている。この基部は、スライダを有し、スライダは、スライドベースに対して上位置あるいは下位置の間で上下方向にスライド変位する。上記柄部の他端部が上記スライダにヒンジ結合されているから、上記柄部が上記スライダに対して屈曲し、上記柄部及びグリップは、バッグ本体の上面に倒伏することができる。また、スライダが上位置に変位した場合、上記柄部及びグリップが上方にスライドすることになる。すなわち、上記柄部が上記スライダに対して屈曲する部位が上方に移動する。したがって、仮に柄部が長く構成されている場合であっても、この状態で上記柄部が屈曲すると、当該柄部及びグリップは、上記外側壁に近接し且つ当該外側壁に沿って配置され得る。
【００１１】
(2) 上記スライダは、上記上下方向に直交すると共に上記外側壁に沿う方向へ突出した一対の第１突部と、上記外側壁の外方へ突出した第２突部と、を備える。上記スライドベースは、上記上下方向に延びており上記一対の第１突部が挿入される一対の第１開口と、上記上下方向に延びており上記第２突部が挿入される第２開口と、を備える。
【００１２】
この構成によれば、第１突部が第１開口に挿入されることにより、外側壁に対して接離する方向へのスライダの位置ずれを小さくすることができる。また、第２突部が第２開口に挿入されることにより、上下方向に直交すると共に外側壁に沿う方向へのスライダの位置ずれを小さくすることができる。
【００１３】
(3) 上記柄部の他端部は、上記スライダが進入可能に肉抜きされている。
【００１４】
この構成によれば、柄部の肉抜きされた部分にスライダが進入する位置まで、柄部が回動することができる。これにより、柄部及びグリップをより外側壁に近接させることができる。
【発明の効果】
【００１５】
この発明によれば、柄部及びグリップがバッグ本体の上面に畳み込まれるから、バッグ本体をコンパクトに収納できる。しかも、柄部が上方にスライドするので、当該釣用バッグが釣場に載置された場合に、把手がバッグ本体の外側壁に沿って配置され得る。したがって、釣人は、実釣において釣用バッグが邪魔にならない。
【図面の簡単な説明】
【００１６】
【図１】図１は、スライダ４２が上位置且つ柄部３２及びグリップ３３が第１倒伏位置のときの釣用バッグ１の外観構成を示す斜視図である。
【図２】図２は、スライドベース４１の斜視図である。
【図３】図３は、スライダ４２の斜視図である。
【図４】図４は、柄部３２及びグリップ３３の斜視図である。
【図５】図５は、スライダ４２が下位置且つ柄部３２及びグリップ３３が第２倒伏位置のときの釣用バッグ１の外観構成を示す斜視図である。
【図６】図６は、スライダ４２が上位置且つ柄部３２及びグリップ３３が第１倒伏位置のときの釣用バッグ１の左側面図である。
【図７】図７は、スライダ４２が下位置且つ柄部３２及びグリップ３３が第２倒伏位置のときの釣用バッグ１の左側面図である。
【図８】図８は、従来の釣用バッグ９０の斜視図である。
【図９】図９は、従来の釣用バッグ９０の側面図である。
【発明を実施するための形態】
【００１７】
以下、本発明の好ましい実施形態が、適宜図面が参照されながら説明される。なお、本実施の形態は、本発明に係る釣用バッグの一態様にすぎず、本発明の要旨を変更しない範囲で実施態様が変更されてもよいことは言うまでもない。以下の説明においては、釣用バッグ１が使用可能に載置された状態（図１の状態）を基準として上下方向１０１が定義される。また、上下方向１０１に直交すると共に外側壁２１、２２に沿う方向が左右方向１０２と定義される。また、上下方向１０１及び左右方向１０２に直交すると共に外側壁２３、２４に沿う方向が前後方向１０３と定義される。
【００１８】
図１は、本発明の実施形態に係る釣用バッグ１の外観構成を示すものである。図１が示すように、釣用バッグ１は、バッグ本体２と、一対の把手３とを備えている。バッグ本体２は、直方体の容器状である。把手３は、バッグ本体２の対向する外側壁２１、２２にそれぞれ設けられている。
【００１９】
釣用バッグ１は、所謂バッカンと呼ばれるものであって、主に魚釣りの際に各種釣り道具や餌等を収容して持ち運ぶために用いられるものである。釣用バッグ１に収容される物は、釣り道具や餌等に限定されない。
【００２０】
バッグ本体２は、外形が略直方体に形成された中空の容器である。バッグ本体２は、底壁２０と、外側壁２１、２２、２３、２４とを備える。底壁２０は、平板状の直方体である。外側壁２１、２２は、底壁２０の上面の長辺から上方へ延びている。外側壁２３、２４は、底壁２０の上面の短辺から上方へ延びている。
【００２１】
図１には詳細に表れていないが、バッグ本体２は、内側に、ポリエチレン樹脂等の合成樹脂を中空容器状に形成したフレームを備える。バッグ本体２は、フレームを、ＥＶＡ（エチレン酢酸ビニル樹脂）等の合成樹脂からなる外側シートで覆ったものである。フレームと外側シートとは、例えば縫製、接着、溶着等により密着するようにして接合されている。
【００２２】
バッグ本体２の上面２５は、開口部である。開口部周りには、剛性を確保するためにステンレス鋼等からなる開口ワイヤが設けられている。開口部は、蓋（不図示）によって封止可能となっている。蓋は、ＥＶＡ等の合成樹脂からなる矩形状のシートで構成されている。蓋は、例えば、その１辺がバッグ本体２の外側シート等に縫いつけられ、他の３辺にファスナ（不図示）が取り付けられている。これにより、ファスナの開閉によってバッグ本体２の開口部を開閉できるようになっている。なお、蓋の有無は任意である。
【００２３】
なお、このようなバッグ本体２の構成は一例であり、バッグ本体２を公知且つ任意の他の構成に変更することは可能である。例えば、  バッグ本体２の底部に断熱材又はクッション材として発泡合成樹脂を設けてもよい。また、例えば、バッグ本体２の外形が、略円柱に形成されていてもよい。
【００２４】
一対の把手３の各々は、ＥＶＡ等の合成樹脂で構成されている。一対の把手３の各々は、基部３１と、柄部３２と、グリップ３３とを備えている。一対の基部３１の一方は、外側壁２１に取り付けられている。一対の基部３１の他方は、外側壁２２に取り付けられている。各柄部３２は、各基部３１に連結されている。各グリップ３３は、各柄部３２に連結されている。なお、以下の基部３１、柄部３２、及びグリップ３３の説明において、一対の基部３１が外側壁２１、２２に取り付けられ、柄部３２及びグリップ３３が基部３１に連結された状態、つまり図１の状態であるとして上下方向１０１、左右方向１０２、及び前後方向１０３が定義される。
【００２５】
基部３１は、スライドベース４１と、スライダ４２とを備えている。
【００２６】
図２は、スライドベース４１の外観構成を示すものである。なお、図２は、一対のスライドベース４１のうちの一方を示すものであるが、他方のスライドベース４１も図２が示すスライドベース４１と同形状である。
【００２７】
図２が示すように、スライドベース４１は、ベース部４３と、ブリッジ部４４と、支持部４５とを備えている。ベース部４３、ブリッジ部４４、及び支持部４５は、一体的に成形されている。
【００２８】
ベース部４３は、横長矩形の平板状のものである。ベース部４３は、スライドベース４１をバッグ本体２の外側壁２１、２２に固定するためのものである。ベース部４３は、例えば縫製、接着、溶着等により、外側壁２１、２２の上部に固定されている。
【００２９】
なお、ベース部４３を固定するバッグ本体２の対向する外側壁は、前述したように直方体の側面の長手側（外側壁２１、２２）に限定されるものではない。つまり、ベース部４３は、直方体の側面の短手側（外側壁２３、２４）に取り付けられていてもよい。しかし、ベース部４３が、長手側の側面である外側壁２１、２２に取り付けられることにより、バッグ本体２の上方で合わさる把手３が短くなり、持ち運びの際の安定性が向上するので好ましい。
【００３０】
ブリッジ部４４は、ベース部４３の中央付近に形成されている。ブリッジ部４４は、ベース部３０との間に、上下方向１０１が開口した空間が形成されるように側方へ突設されたものである。ブリッジ部４４には、タオルやコマセカッタ等の釣用具を掛け止めたり、挟み込んで留めておくことができる。
【００３１】
支持部４５は、スライダ４２を支持するためのものである。支持部４５は、ブリッジ部４４の左右両端部にそれぞれ形成されている。支持部４５は、ベース部３０との間に、所定の空間が形成されるように側方へ突設されたものである。
【００３２】
支持部４５には、一対の第１開口４６、第２開口４７、及び第３開口４８が形成されている。一対の第１開口４６、第２開口４７、及び第３開口４８は、上記所定の空間と支持部４５の外部とを連通している。
【００３３】
一対の第１開口４６は、支持部４５の左右両側面に形成されている。一対の第１開口４６は、上下方向１０１に延びている。第２開口４７は、支持部４５の外面（前記左右両側面を繋ぐ面）に形成されている。第２開口４７は、上下方向１０１に延びている。第３開口４８は、支持部４５の上面に形成されている。
【００３４】
ベース部４３における支持部４５と対向する位置には、ベース部４３の上端から下方へ向けて切り欠かれた切り欠き４９が形成されている。切り欠き４９を通じて、スライダ４２が、上記所定の空間へ嵌め込み可能である。スライダ４２の上記所定の空間への嵌め込みは、ベース部４３がバッグ本体２の外側壁２１、２２に取り付けられていない状態で実行される。そして、スライダ４２が嵌め込まれたベース部４３が外側壁２１、２２に取り付けられる。これにより、図１が示すように、スライダ４２が支持部４５に支持された状態となる。
【００３５】
図３は、スライダ４２の外観構成を示すものである。スライダ４２は、ブリッジ部４４の左右両端部に形成された支持部４５のそれぞれに支持される。つまり、スライダ４２は、一対の把手３の各々に設けられた基部３１の各々について２個設けられている。すなわち、釣用バッグ１は、４個のスライダ４２を備えている（図１参照）。なお、図３は、４個のスライダ４２のうちの１個を示すものであるが、他の３個のスライダ４２も図３が示すスライダ４２と同形状である。
【００３６】
図３が示すように、スライダ４２は、本体５０と、一対の第１突部５１と、第２突部５２と、軸受け部５３と、屈曲部５４とを備えている。本体５０は、概ね棒状に形成されている。一対の第１突部５１及び第２突部５２は、本体５０の一端部５０Ａに設けられている。軸受け部５３は、本体５０の他端部５０Ｂに設けられている。屈曲部５４は、本体５０の中央部５０Ｃに設けられている。
【００３７】
一対の第１突部５１は、一端部５０Ａから左右方向１０２の両側へ突出している。第２突部５２は、一端部５０Ａから前後方向１０３に沿って突出している。詳細には、第２突部５２は、図１が示すように、外側壁２１、２２の外方へ向けて突出している。
【００３８】
図３が示すように、本体５０の一端部５０Ａ及び中央部５０Ｃは、本体５０の他端部５０Ｂよりも左右方向１０２に短い。スライダ４２の一端部５０Ａ及び中央部５０Ｃは、スライドベース４１のベース部４３に形成された切り欠き４９（図２参照）を通じて、支持部４５とベース部３０との間に形成された所定の空間へ嵌め込まれる。嵌め込みの過程において、一対の第１突部５１は、支持部４５に形成された一対の第１開口４６（図２参照）へ挿入され、第２突部５２は、支持部４５に形成された第２開口４７（図２参照）へ挿入される。また、本体５０の中央部５０Ｃは、支持部４５に形成された第３開口４８を挿通した状態とされる。以上のように、スライダ４２は、スライドベース４１に取り付けられる。次に、スライダ４２が取り付けられたスライドベース４１が、バッグ本体２の外側壁２１、２２に取り付けられる。これにより、図１が示すように、スライダ４２は、上下方向１０１に沿ってスライド自在に、スライドベース４１によって支持される。
【００３９】
スライダ４２は、図１及び図６に示される上位置と図５及び図７に示される下位置との間で変位可能である。図１及び図６が示すように、スライダ４２が上位置のとき、一対の第１突部５１は、一対の第１開口４６の上部に位置し、第２突部５２は、第２開口４７の上部に位置する。図５及び図７が示すように、スライダ４２が下位置のとき、一対の第１突部５１は、一対の第１開口４６の下部に位置し、第２突部５２は、第２開口４７の下部に位置する。
【００４０】
図３が示すように、軸受け部５３は、前後方向１０３における第２突部５２の突出方向と反対方向へ、鉤状に湾曲している。
【００４１】
本体５０は、屈曲部５４において、くの字状に屈曲している。本体５０が屈曲部５４において屈曲していることにより、基部３１がバッグ本体２に取り付けられた状態（図１に示される状態）において、本体５０の他端部５０Ｂは、外側壁２１、２２に対して本体５０の一端部５０Ａよりも離間している。
【００４２】
図４は、柄部３２及びグリップ３３の外観構成を示すものである。なお、図４は、一対の柄部３２及び一対のグリップ３３のうちの一方を示すものであるが、他方の柄部３２及び他方のグリップ３３も図３が示す柄部３２及びグリップ３３と略同形状である。
【００４３】
図４が示すように、柄部３２及びグリップ３３は、全体として略Ｕ字形状に形成されている。詳細には、柄部３２が、グリップ３３の左右両端部から延びている。
【００４４】
グリップ３３は、概ね円柱状に形成されている。但し、図６が示すように、一対のグリップ３３の一方は、一対のグリップ３３の他方と係合可能な係合部３４を備えている。係合部３４が一対のグリップ３３の他方と係合することにより、ユーザは一対のグリップ３３を一纏めに把持することができる。
【００４５】
図４が示すように、柄部３２は、概ね棒状に形成されており、当該棒の延出方向の一端部３２Ａ及び他端部３２Ｂを備えている。
【００４６】
柄部３２の一端部３２Ａは、グリップ３３と連結している。本実施形態では、柄部３２とグリップ３３とは一体に成形されているが、柄部３２とグリップ３３とは別個の部材であってもよい。
【００４７】
柄部３２の他端部３２Ｂは、平板状である。他端部３２Ｂの所定領域に、他端部３２Ｂが肉抜きされた空間５５が形成されている。この空間５５を渡るようにして、左右方向１０２に沿って伸びた軸５６が形成されている。軸５６は、スライダ４２の軸受け部５３（図３参照）に嵌め込まれる。つまり、柄部３２の他端部３２Ｂと、スライダ４２の本体５０の他端部５０Ｂとは、連結されている。これにより、図６及び図７が示すように、柄部３２の他端部３２Ｂは、左右方向１０２に沿った仮想軸線５７（図１参照）を中心として矢印５８、５９の方向へ回動自在に、基部３１のスライダ４２と連結される。換言すると、スライダ４２は、柄部３２の他端部３２Ｂにヒンジ結合されている。
【００４８】
柄部３２及びグリップ３３は、図１及び図６に示される第１倒伏位置と図５及び図７に示される第２倒伏位置との間で回動可能である。
【００４９】
グリップ３３がユーザに把持されて上方へ引き上げられると、スライダ４２が上位置に移動する。スライダ４２が上位置の状態において、柄部３２の軸５６は、バッグ本体２の上面２５よりも上方に位置する。スライダ４２が上位置の状態において、柄部３２が矢印５９（図７参照）の方向へ回動されることによって、柄部３２及びグリップ３３は第１倒伏位置へ回動する（図１及び図６参照）。
【００５０】
図１及び図６が示すように、柄部３２及びグリップ３３が第１倒伏位置のとき、柄部３２及びグリップ３３は、バッグ本体２の上面２５へ倒伏しており、上面２５に設けられた蓋に支持されている。
【００５１】
なお、バッグ本体２の上面２５に蓋が設けられていない場合、第１倒伏位置の柄部３２及びグリップ３３は、バッグ本体２の上面２５に形成された開口部を通じて、バッグ本体２の内部空間（底壁２０及び外側壁２１、２２、２３、２４によって区画された空間）へ入り込む。
【００５２】
柄部３２が矢印５８（図６参照）の方向へ回動されることによって、柄部３２及びグリップ３３は第２倒伏位置へ回動する。
【００５３】
図５及び図７が示すように、柄部３２及びグリップ３３が第２倒伏位置のとき、スライダ４２の本体５０の他端部５０Ｂが、柄部３２の肉抜きされた空間５５に進入する。これにより、柄部３２は、概ね上下方向１０１に沿って延びた状態となる。その結果、柄部３２及びグリップ３３は、外側壁２１、２２に近接し且つ外側壁２１、２２に沿って配置される。
【００５４】
本実施形態において、柄部３２及びグリップ３３の上下方向１０１の長さは、バッグ本体２の外側壁２１、２２、２３、２４の上下方向１０１の長さよりも短い。よって、柄部３２及びグリップ３３が第２倒伏位置のときに、スライダ４２が上位置であると、柄部３２及びグリップ３３の下端は、釣用バッグ１が載置された載置面（例えば釣場の地面）から浮いた状態となる。したがって、柄部３２及びグリップ３３が第２倒伏位置へ回動されると、スライダ４２は、スライダ４２の自重と柄部３２及びグリップ３３の重量とによって、上位置から下位置へ移動する。これにより、柄部３２及びグリップ３３が載置面に支持された状態となる。また、スライダ４２が下位置へ移動することにより、スライダ４２がバッグ本体２の上面から突出しなくなるため、釣用バッグ１の上方への嵩張りを低減できる。
【００５５】
なお、柄部３２及びグリップ３３の上下方向１０１の長さは、バッグ本体２の外側壁２１、２２、２３、２４の上下方向１０１の長さよりも長くてもよい。この場合、スライダ４２が下位置且つ柄部３２及びグリップ３３が第２倒伏位置のときに、柄部３２及びグリップ３３が外側壁に対して側方へ拡がった状態となる。この場合、スライダ４２を上位置に移動させて、軸５６を上方に移動させることによって、柄部３２及びグリップ３３を外側壁２１、２２に近接させることができる。
【００５６】
また、柄部３２及びグリップ３３の上下方向１０１の長さは、スライダ４２が下位置において、柄部３２及びグリップ３３が載置面から浮いた状態となる程に短くてもよい。
【００５７】
上記実施形態では、バッグ本体２に一対の把手３が設けられており、各把手３はグリップ３３を備えている。そのため、釣人は、グリップ３３を把持することにより釣用バッグ１を吊り下げて持つことができる。把手３は柄部３２を備え、柄部３２の他端部３２Ｂが基部３１に連結されている。基部３１は、スライダ４２を有する。スライダ４２は、スライドベース４１に対して上位置あるいは下位置の間で上下方向１０１にスライド変位する。柄部３２の他端部３２Ｂがスライダ４２にヒンジ結合されている。そのため、図１及び図６が示すように、柄部３２がスライダ４２に対して屈曲し、柄部３２及びグリップ３３は、バッグ本体２の上面２５に倒伏することができる。また、スライダ４２が上位置に変位した場合、柄部３２及びグリップ３３が上方にスライドすることになる。すなわち、柄部３２がスライダ４２に対して屈曲する部位が上方に移動する。したがって、仮に、柄部３２の上下方向１０１の長さが、バッグ本体２の外側壁２１、２２、２３、２４の上下方向１０１の長さよりも長く構成されている場合において、この状態で柄部３２が屈曲すると、当該柄部３２及びグリップ３３は、外側壁２１、２２に近接し且つ外側壁２１、２２に沿って配置され得る。
【００５８】
前述のように、柄部３２及びグリップ３３が、図１及び図６が示すように、バッグ本体２の上面２５に畳み込まれる。そのため、バッグ本体２をコンパクトに収納することができる。しかも、柄部３２が上方にスライドするので、釣用バッグ１が釣場に載置された場合に、把手３がバッグ本体２の外側壁２１、２２に沿って配置され得る。したがって、釣人は、実釣において釣用バッグ１が邪魔にならない。
【００５９】
また、上記実施形態では、図１が示すように、第１突部５１が第１開口４６に挿入されることにより、前後方向１０３へのスライダ４２の位置ずれを小さくすることができる。また、第２突部５２が第２開口４７に挿入されることにより、左右方向１０２へのスライダ４２の位置ずれを小さくすることができる。
【００６０】
また、上記実施形態では、図５及び図７が示すように、柄部３２の肉抜きされた空間５５にスライダ４２の本体５０の他端部５０Ｂが進入する位置まで、柄部３２が回動することができる。これにより、柄部３２及びグリップ３３をより外側壁２１、２２に近接させることができる。
【符号の説明】
【００６１】
１・・・釣用バッグ
２・・・バッグ本体
３・・・把手
２０・・・底壁
２１・・・外側壁
２２・・・外側壁
２３・・・外側壁
２４・・・外側壁
２５・・・上面
３１・・・基部
３２・・・柄部
３３・・・グリップ
３４・・・係合部
４１・・・スライドベース
４２・・・スライダ
４３・・・ベース部
４４・・・ブリッジ部
４５・・・支持部
４６・・・第１開口
４７・・・第２開口
４８・・・第３開口
４９・・・切り欠き
５０・・・本体
５１・・・第１突部
５２・・・第２突部
５３・・・軸受け部
５４・・・屈曲部
５５・・・空間
５６・・・軸
５７・・・仮想軸線
５８・・・矢印
５９・・・矢印
１０１・・・上下方向
１０２・・・左右方向
１０３・・・前後方向
【図１】
2018000132.tif 000003
【図２】
2018000132.tif 000004
【図３】
2018000132.tif 000005
【図４】
2018000132.tif 000006
【図５】
2018000132.tif 000007
【図６】
2018000132.tif 000008
【図７】
2018000132.tif 000009
【図８】
2018000132.tif 000010
【図９】
2018000132.tif 000011